(57)【特許請求の範囲】
【請求項１】
一台の熱源機から複数台の端末に対して並列で温水を供給する方式の暖房装置において、各端末ごとにその端末が設置された室温又は床温と、単独で運転を開始した時から一定の室温又は床温になるまでの温度を時系列的に検出して各端末ごとに温度の上昇率を求め、複数の端末が同時に運転された時、各端末の上昇率を比較して、上昇率の小さい端末側に供給する温水量を上昇率の大きい端末側に比較して増大するように制御する温水式暖房装置の運転方法。
【請求項２】
複数の端末に対して並列に温水を供給する一台の熱源機と、
各端末ごとに単独で運転を開始した時から一定の時間までの室内温度又は床温度を検出する温度検出手段と、
前記温度検出手段で検出された上昇温度を時系列的に検出して上昇率を求め、これを記憶する記憶手段と、
複数の端末が同時に運転された時、各端末の上昇率を比較して、上昇率の小さい端末側に供給する温水量を上昇率の大きい端末側に比較して増大するように各端末への温水の供給量を演算する演算手段と、
前記演算手段で演算された各端末への温水の供給量を基に供給する温水の量を制御する温水制御手段と、
から成る温水式暖房装置の運転装置。
【発明の詳細な説明】
【０００１】
【産業上の利用分野】
本発明は、温水式暖房装置の運転方法とその装置に関する。
【０００２】
【従来の技術】
一台の熱源機から複数台の端末（ファンコンベクター及び床暖房装置）に対して温水を供給する暖房装置の例を図２に示す。この図２において、１は高温（約８０℃）出湯と低温（約６０℃）出湯が可能な熱源機、２は高温出湯温水ヘッダー、３は低温出湯温水ヘッダー、４は内部に熱交換器とファンを組み込んで成るファンコンベクター（エアコン）、５は前記高温出湯温水ヘッダー２とファンコンベクター４間を結ぶ温水配管、６は温水マット（床暖房装置）、７は前記低温出湯温水ヘッダー３と温水マット６を結ぶ温水配管、８は床暖房コントローラー、９、９ａは通信線、１０は運転制御回路であって、上記暖房装置の場合、ファンコンベクター４が複数の場合、すべてのファンコンベクター４に対しては例えば一律に８０℃の温水が供給され、温水マット６が複数の場合も、すべての温水マット６に対しては一律に６０℃の温水が供給されるようになっている。
【０００３】
【発明が解決しようとする課題】
このため従来の暖房装置の場合、次のような欠点がある。
各端末の負荷は、例えば床暖房であれば、その日の外気温、日射量、室内照明、室内の人員など様々な要因によって変化しているが、従来の一律温水供給方式では、床暖房負荷が小さい場合でも、必要以上の温水が供給され、反対に負荷が大きい場合、温水量が不足して十分な能力が出せない場合が起こる。
【０００４】
【課題を解決するための手段】
本発明は、上記課題を解決するのが目的であって、その構成は次のとおりである。
【０００５】
１．一台の熱源機から複数台の端末に対して並列で温水を供給する方式の暖房装置において、各端末ごとにその端末が設置された室温又は床温と、単独で運転を開始した時から一定の室温又は床温になるまでの温度を時系列的に検出して各端末ごとに温度の上昇率を求め、複数の端末が同時に運転された時、各端末の上昇率を比較して、上昇率の小さい端末側に供給する温水量を上昇率の大きい端末側に比較して増大するように制御する温水式暖房装置の運転方法。
【０００６】
２．複数の端末に対して並列に温水を供給する一台の熱源機と、
各端末ごとに単独で運転を開始した時から一定の時間までの室内温度又は床温度を検出する温度検出手段と、
前記温度検出手段で検出された上昇温度を時系列的に検出して上昇率を求め、これを記憶する記憶手段と、
複数の端末が同時に運転された時、各端末の上昇率を比較して、上昇率の小さい端末側に供給する温水量を上昇率の大きい端末側に比較して増大するように各端末への温水の供給量を演算する演算手段と、
前記演算手段で演算された各端末への温水の供給量を基に供給する温水の量を制御する温水制御手段と、
から成る温水式暖房装置の運転装置。
【０００７】
上記構成の本発明は、次のような考え方に基づいている。
いま、すべての端末が停止している状態から、床暖房１（温水マット１）と床暖房２（温水マット２）が同時に立ち上がった場合、
Ｑ１／ＰＬ１  ＝  Ｑ２／ＰＬ２
となるように温水の流量を配分してやればよい。
また、ユーザの設定あるいは制御上の条件などから優先順位が床暖房１〉床暖房２である場合には、
Ｑ１／ＰＬ１  〉  Ｑ２／ＰＬ２
となるように温水の流量を配分する。なおＰＬ１、ＰＬ２は設計時あるいは施工時にメーカーまたは施工者が入力するなどの方法がある。
このときの暖房負荷（Ｑ１、Ｑ２）は、温水の配分比率を求めるのに必要なものであり、そして、暖房負荷は、各端末の温度上昇率で求めるものとする。
【０００８】
各端末の温度上昇率の求め方の一例として、次の方法がある。床暖房１（温水マット１）及び床暖房２（温水マット２）について、それぞれの単独運転開始から１５分間８０℃の温水を循環させ、その間の床面の温度の上昇を記憶しておく。そして、１５分間後の床暖房１と床暖房２の温度から、それぞれの温度の上昇率を計算し、この値を基にして、床暖房１と床暖房２とが同時に運転されるようになった場合にこのどちらの運転を優先するかを考慮しつつ温水配分を行う。この場合の優先順位の判断方法としては、
・ユーザーがコントローラ部を通じて入力する。
・床暖房２の運転開始時の室温（または床温）によって判断する。
・床暖房２の運転開始時の室温（または床温）、及び室温（または床温）の上昇率など    から、床暖房２の温度上昇率がある水準以上であるか否かと、ユーザーの設定温度を    考え併せて、床暖房２の立ち上がりを優先するか否かを判断する。
など、様々な方法が考えられる。こうすれば床暖房１に必要以上の温水を供給してしまい、床暖房２がその後運転を開始した時に十分な能力を出せなくなるといった現象を防ぐことができる。
【０００９】
また、ファンコンベクターや風呂の追焚配管なども、その対象室や対象となる温水の温度が検出できれば、単独で運転されたときに負荷を計算しておき、ファンコンベクターや追焚配管に必要な分だけの温水を供給してやることが可能になる。
本制御方法は、特に、各端末機器の同時使用率が高い場合に非常に有効である。
【００１０】
【作用】
既に端末が運転されていて、新規に端末の運転が開始された場合、運転制御手段は、夫々の端末の設置された室内又は床の温まり易さを基にして供給する温水量をＦＦ方式で制御する。既に端末が運転されていて、新規に端末の運転が開始された場合、運転制御手段は、夫々の端末の設置された室内又は床の温度の上昇率を基にして供給する温水量をＦＦ方式で制御する。
【００１１】
【実施例】
図１は本発明の実施例であって、２０は、約８０℃の温水を供給する熱源機、２１は温水ヘッダー、２２は温水ヘッダー２１の接続口２３に夫々取り付けられた制御弁、２４はエアコン（端末ユニット）、２５、２５ａは床暖房用の温水マット、２６は追焚式浴槽、２７は追焚風呂釜であって、上記エアコン２４、温水マット２５、２５ａ、追焚風呂釜２７へは約８０℃の温水が夫々供給される。なお、熱源機２０としては上記実施例のように、約８０℃の高温出湯方式のもの以外に、高温（約８０℃）出湯と低温（約６０℃）出湯方式のものでもよい。
２８は運転コントローラーであって、この運転コントローラー２８は、次の構成と運転例から成る。
【００１２】
構成としては、各端末が設置された部屋の室温を検出する温度検出手段と、各端末ごとに単独で運転を開始した時から一定の時間までの室内温度又は床温度を検出する温度検出手段と、前記温度検出手段で検出された上昇温度を時系列的に検出して上昇率を求め、これを記憶する記憶手段と、前記記憶手段に記憶された温度の上昇率を基にして各端末への温水の供給量を演算する演算手段と、前記演算手段で演算された各端末への温水の供給量を基に供給する温水の量を制御する温水制御手段と、から成る。
【００１３】
そして、この制御は、各端末ごとにその端末が設置された室温又は床温と、単独で運転を開始した時から一定の室温又は床温になるまでの温度を時系列的に検出して温度の上昇率を求め、複数の端末が同時に運転された時、前記上昇率に応じて各端末に対して供給する温水量を制御弁２２で制御する。
【００１４】
【発明の効果】
本発明は以上のように、複数台の端末が同時に運転されるとき、各室又は床の温度の上昇率から供給する温水量をＦＦ方式で制御するようにしたので、暖房負荷に応じた暖房運転を行うことができる。よって、暖房が過剰又は不足したり、エネルギーが無駄になるということがない。
【図面の簡単な説明】
【図１】  本発明に係る温水式暖房装置とその運転方法の説明図。
【図２】  従来の温水式暖房装置とその運転方法の説明図。
【符号の説明】
２０  熱源機
２１  温水ヘッダー
２２  制御弁
２３  接続口
２４  エアコン（端末ユニット）
２５、２５ａ  温水マット
２６  追焚式浴槽
２７  追焚風呂釜
２８  運転コントローラー
【図１】
0003676847.tif 000002
【図２】
0003676847.tif 000003